(57)【特許請求の範囲】
【請求項１】
ポンプユニットと、
制御ユニットと、
を具備し、
前記ポンプユニットは、第１の筐体と、前記第１の筐体に収容されるポンプと、を具備し、
前記制御ユニットは、第２の筐体と、前記第２の筐体に収容される制御部と、を具備し、
前記第１の筐体と前記第２の筐体とは、互いに連結されることを特徴とするパッケージ型給水ポンプ装置。
【請求項２】
前記ポンプユニットは、前記第１の筐体内に前記ポンプを搬入する第１の搬入口を塞ぐ第１の扉部材を具備し、
前記制御ユニットは、前記第２の筐体内に前記制御部を搬入する第２の搬入口を塞ぐ第２の扉部材を具備することを特徴とする請求項１に記載のパッケージ型給水ポンプ装置。
【請求項３】
前記第１の筐体内に前記ポンプを搬入する第１の搬入口と前記第２の筐体内に前記制御部を搬入する第２の搬入口とを塞ぐ１つの扉部材を具備することを特徴とする請求項１に記載のパッケージ型給水ポンプ装置。
【請求項４】
前記第１の筐体は、開口を有し、
前記ポンプユニットと前記制御ユニットとが互いに連結されたときに、前記開口の周縁が前記第２の筐体に接触することによって前記開口が密閉されることを特徴とする請求項１に記載のパッケージ型給水ポンプ装置。
【発明の詳細な説明】
【技術分野】
【０００１】
本発明は、筐体内にポンプおよび制御部を収容するパッケージ型給水ポンプ装置に関する。
【背景技術】
【０００２】
ポンプ装置では、ポンプ室を必要とせず、屋外例えば建屋の横や階段の踊場下のスペースに設置可能なパッケージ型給水ポンプ装置が提案されている。
【０００３】
この種のパッケージ型給水ポンプ装置は、１つの筐体の中に、ポンプと、このポンプを制御する制御部とを収容する構造が採用されている。
【０００４】
一方、ポンプは、通常、駆動源としてモータを備えている。このモータは、駆動すると発熱する。また、このモータの駆動を制御する制御部も、駆動時には発熱する。これら、モータと制御部とは、ポンプ装置を構成する他の部品に比べて、発熱量が比較的大きい。
【０００５】
それゆえ、上記のような筐体を有するパッケージ型給水ポンプ装置では、冷却構造が施されている。冷却構造の一例としては、例えば水冷式がある（例えば、特許文献１参照。）。
【特許文献１】特開平８−３１９９９７号公報
【発明の開示】
【発明が解決しようとする課題】
【０００６】
特許文献１に開示されているパッケージ型給水ポンプ装置では、モータと制御部とは、同一の筐体内に収容されている。発熱量が大きいモータと制御部とが同一の筐体内に収容されることによって、筐体内の温度上昇は、大きくなる。
【０００７】
それゆえ、筐体内に施される冷却構造には、上記した２つの発熱体による温度上昇を抑える性能が求められる。しかし、冷却構造の性能の向上によって、コストが増加することが考えられるので、筐体内の発熱量の増加は、好ましくない。
【０００８】
したがって、本発明は、このような事情に基づいてなされたもので、筐体内の温度上昇を効果的に抑制することができるパッケージ型給水ポンプ装置を得ることにある。
【課題を解決するための手段】
【０００９】
上記目的を達成するため、本発明の１つの形態に係るパッケージ型給水ポンプ装置は、ポンプユニットと、制御ユニットと、を備える。前記ポンプユニットは、第１の筐体と、前記第１の筐体に収容されるポンプと、を備える。前記制御ユニットは、第２の筐体と、前記第２の筐体に収容される制御部と、を備える。前記第１の筐体と前記第２の筐体とは、互いに連結される。
【００１０】
この構成によれば、発熱量の大きなポンプと制御部とが互いに別々の筐体に収容されるので、各筐体内の発熱量は、小さくなる。つまり、各筐体内での温度上昇は、抑制される。
【００１１】
本発明の好ましい形態では、前記ポンプユニットは、前記第１の筐体内に前記ポンプを搬入する第１の搬入口を塞ぐ第１の扉部材を備える。前記制御ユニットは、前記第２の筐体内に前記制御部を搬入する第２の搬入口を塞ぐ第２の扉部材を備える。
【００１２】
本発明の好ましい形態では、前記パッケージ型給水ポンプ装置は、前記第１の筐体内に前記ポンプを搬入する第１の搬入口と前記第２の筐体内に前記制御部を搬入する第２の搬入口とを塞ぐ１つの扉部材を備える。
【００１３】
本発明の好ましい形態では、前記第１の筐体は、開口を有する。前記ポンプユニットと前記制御ユニットとが互いに連結されたときに、前記開口の周縁が前記第２の筐体に接触することによって前記開口は、密閉される。
【発明の効果】
【００１４】
本発明によれば、温度上昇を効果的に抑制することができるパッケージ型給水ポンプ装置を得ることができる。
【発明を実施するための最良の形態】
【００１５】
本発明の第１の実施形態に係るパッケージ型給水ポンプ装置を、図１から図６を参照して説明する。
【００１６】
図１は、パッケージ型給水ポンプ装置１０の正面図である。図２は、パッケージ型給水ポンプ装置１０が分解された状態を示す斜視図である。
【００１７】
図１と図２とに示すように、パッケージ型給水ポンプ装置１０は、ポンプユニット２０と、制御ユニット３０と、を備えている。ポンプユニット２０と制御ユニット３０とは、以下に説明するように、それぞれ別体である。そして、ポンプユニット２０の上に制御ユニット３０が固定されることによって、パッケージ型給水ポンプ装置１０が構成される。
【００１８】
図２に示すように、ポンプユニット２０は、第１の筐体２１と、第１の筐体２１内に収容されるポンプ部２２と、第１の扉部材２３と、などを備えている。なお、図３は、第１の扉部材２３と後述される第２の扉部材３２とが取り外されたパッケージ型給水ポンプ装置１０の側面図である。
【００１９】
第１の筐体２１は、例えば略直方体であって、第１の上壁２１ａと、第１の下壁２１ｂと、第１の左壁２１ｃと、第１の右壁２１ｄと、第１の前壁２１ｅと、第１の後壁２１ｆと、を有している。
【００２０】
第１の前壁２１ｅには、第１の搬入口２４が形成されている。第１の搬入口２４は、第１の前壁２１ｅを貫通しており、第１の筐体２１の内と外とを連通している。ポンプ部２２は、第１の搬入口２４を通って、第１の筐体２１内に搬入される。第１の搬入口２４は、周囲を周縁部２４ａによってかこまれている。図２と図３とに示すように、周縁部２４ａには、全周に亘ってパッキン２５が設けられている。
【００２１】
第１の扉部材２３は、第１の搬入口２４を塞ぐ。第１の搬入口２４は、第１の扉部材２３によって塞がれるとともに、パッキン２５によって、密閉される。
【００２２】
図２に示すように、第１の筐体２１の内面の略全域には、後述される給水ポンプ６０の駆動時の騒音を吸収する吸音体２６が設けられている。図３中に一部切り欠いて示すように、吸音体２６は、第１の扉部材２３の内面にも設けられている。
【００２３】
ポンプ部２２は、後で詳細に説明される。なお、図２中では、ポンプ部２２は、概略的に示されている。
【００２４】
制御ユニット３０は、第２の筐体３１と、第２の扉部材３２と、電装部３３と、を備えている。
【００２５】
第２の筐体３１は、例えば略直方体であって、第２の上壁３１ａと、第２の下壁３１ｂと、第２の左壁３１ｃと、第２の右壁３１ｄと、第２の前壁３１ｅと、第２の後壁３１ｆと、を有している。
【００２６】
第２の前壁３１ｅには、第２の搬入口３４が形成されている。第２の搬入口３４は、第２の前壁３１ｅを貫通しており、第２の筐体３１の内と外とを連通している。電装部３３は、第２の搬入口３４を通って、第２の筐体３１内に搬入される。第２の搬入口３４は、周囲を周縁部３４ａに囲まれている。図２と図３とに示すように、第２の搬入口３４の周縁部３４ａには、全周に亘ってパッキン３５が設けられている。
【００２７】
第２の右壁３１ｄには、吸気口３６が形成されている。第２の右壁３１ｄの外面において吸気口３６の上縁には、がらり３７が設けられている。がらり３７は、吸気口３６との間に空間を有した状態で吸気口３６を覆っている。それゆえ、第２の筐体３１内へは、吸気口３６を通して空気が吸入される。
【００２８】
第２の左壁３１ｃには、点線で示すように、排気口３８が形成されている。第２の左壁３１ｃの外面において排気口３８の上縁には、がらり３９が設けられている。がらり３９は、排気口３８との間に空間を有した状態で排気口３８を覆っている。それゆえ、第２の筐体３１内の空気は、排気口３８を通して排出される。上記のように第２の筐体３１内の空気は、吸気口３６と排気口３８とを通して、第２の筐体３１の外と循環される。
【００２９】
第２の扉部材３２は、第２の搬入口３４を塞ぐ。第２の搬入口３４は、第２の扉部材３２によって塞がれるとともに、パッキン３５によって、密閉される。
【００３０】
電装部３３は、後で詳細に説明される。なお、図２中では、電装部３３は、概略的に示されている。
【００３１】
第１の筐体２１と第２の筐体３１とは、固定構造５０によって、固定されている。固定構造５０は、第１の貫通孔５１と、第２の貫通孔５２と、ボルト５３と、ナット５４と、を備えている。
【００３２】
第１の貫通孔５１は、第１の筐体２１の第１の上壁２１ａに形成されている。本実施形態では、第１の貫通孔５１は、例えば第１の上壁２１ａの前縁の両側、つまり、第１の左右壁２１ｃ，２１ｄ側に1つずつ形成されている。第１の貫通孔５１は、第１の上壁２１ａを上下方向に貫通している。第１の上壁２１ａの上面は、平面である。
【００３３】
第２の貫通孔５２は、第２の筐体３１の第２の下壁３１ｂに形成されている。第２の貫通孔５２は、第２の筐体３１が第１の上壁２１ａの上面に配置されたときに、第１の貫通孔５１と向かい合う位置に配置されている。第２の下壁３１ｂの下面は、例えば平面である。
【００３４】
それゆえ、第１の上壁２１ａの上面と第２の下壁３１ｂの下面とは、面接触する。このように、面接触することによって、第２の筐体３１は、第１の筐体２１に安定して固定されるようになる。
【００３５】
なお、本実施形態では、図１，２に示すように、第１の上壁２１ａと第２の下壁３１ｂとは、略同じ形状である。それゆえ、第２の貫通孔５２は、周縁部３４ａの両側、つまり第２の左右壁３１ｃ，３１ｄ側に配置されている。第２の貫通孔５２は、第２の下壁３１ｂを貫通している。
【００３６】
ボルト５３は、第２の貫通孔５２と第１の貫通孔５１を貫通して、ナット５４によって締め付けられる。それゆえ、第１の筐体２１と第２の筐体３１とは、固定構造５０によって、互いに固定される。
【００３７】
図４は、第１，２の扉部材２３，３２が取り外されたパッケージ型給水ポンプ装置１０の正面図である。
【００３８】
図４に示すように、第１の筐体２１内には、ポンプ部２２が収容されている。ポンプ部２２は、給水ポンプ６０と、配管部７０と、逆流防止回路８０と、流量センサ９０（図５に示す）と、アキュムレータ１００と、などを備えている。なお、上記されたポンプ部２２の構成は、一例である。
【００３９】
給水ポンプ６０は、本発明で言うポンプである。給水ポンプ６０は、例えば縦型ポンプである。給水ポンプ６０は、例えば第１の筐体２１の上部に、左右幅方向に沿って、例えば３つ配設されている。給水ポンプ６０は、例えば電動モータ６１と、多段式であってタービン式のポンプ本体６２と、を備えている。電動モータ６１は、駆動源の一例である。給水ポンプ６０は、駆動源として電動モータ６１を備えることによって、駆動時の発熱量が高くなる。ポンプ本体６２は、電動モータ６１の出力軸に連結される。上記構成の給水ポンプ６０は、電動モータ６１が上となり、ポンプ本体６２が下となるように配置される。
【００４０】
配管部７０は、吸込ヘッダー配管７１と、吐出しヘッダー配管７２と、などを備えている。図５は、第１の左壁２１ｃが省略されたパッケージ型給水ポンプ装置１０を、左側から見た一部断面図である。なお、図５中では、アキュムレータ１００は、省略されている。
【００４１】
図５に点線で示すように、吸込ヘッダー配管７１は、各ポンプ本体６２の直下に配設されている。吸込ヘッダー配管７１は、第１の筐体２１の幅方向に沿って延びている。なお、第１の筐体２１の幅方向とは、第１の左壁２１ｃから第１の右壁２１ｄに向かう方向、第１の右壁２１ｄから第１の左壁２１ｃに向かう方向である。
【００４２】
なお、各ポンプ本体６２の吸込み口６２ａには、保守用開閉弁６３が取り付けられている。この保守用開閉弁６３は、吸込ヘッダー配管７１に接続されている。
【００４３】
吐出しヘッダー配管７２は、各ポンプ本体６２の直下前方に配置されている。吐出しヘッダー配管７２は、第１の筐体２１の幅方向に延びている。なお、図５中では、吐出しヘッダー配管７２は、一部切りかかれている。
【００４４】
図４に示すように、吸込ヘッダー配管７１と吐出しヘッダー配管７２とは、バイパス用チェック弁６６を介して、互いに接続されている。給水ポンプ６０に導かれる水の高押し込み時では、水は、給水ポンプ６０を経由することなく吸込ヘッダー配管７１から吐出しヘッダー配管７２へ送水される。
【００４５】
図５に示すように、各ポンプ本体６２の吐出口６２ｂは、正面に向かって開口している。それゆえ、各ポンプ本体６２の吐出口６２ｂは、吐出管６４を用いて、吐出しヘッダー配管７２に接続されている。吐出管６４には、図示しないチェック弁が内蔵されている。また、吐出管６４には、流量センサ９０が取り付けられている。
【００４６】
上記したように、吐出しヘッダー配管７２は、ポンプ本体６２の直下前方に配置されている。それゆえ、吐出管６４は、図に示すように、下方に折れ曲がる形状であって、例えば略Ｌ字状である。この吐出管６４の一端は、ポンプ本体６２の吐出口６２ｂに接続されている。吐出管６４の他端は、吐出しヘッダー配管７２に接続されている。
【００４７】
図４に示すように、吐出しヘッダー配管７２は、第１の連結管７３に接続されている。第１の連結管７３は、第１の筐体２１の第１の右壁２１ｄに設けられている。第１の連結管７３は、第１の左壁２１ｃを貫通して第１の筐体２１内に出ている。それゆえ、第１の連結管７３の一端は、第１の筐体２１内に開口している。
【００４８】
吐出しヘッダー配管７２の一端７２ａは、第１の連結管７３の一端７３ａ（第１の筐体２１内に開口している一端）に接続されている。
【００４９】
第１の連結管７３の他端７３ｂ（第１の筐体２１の外に出ている端）は、給水管（図示せず）に接続される。給水管は、各家庭に向かう。
【００５０】
アキュムレータ１００は、吐出しヘッダー配管７２に接続されている。
【００５１】
また、第１の筐体２１の第１の右壁２１ｄには、第２の連結管７５が通っている。第２の連結管７５は、第１の右壁２１ｄを貫通している。それゆえ、第２の連結管７５の一端７５ａは、第１の筐体２１内に開口している。
【００５２】
第２の連結管７５の他端７５ｂは、第１の筐体２１の外に出ている。第２の連結管７５の他端７５ｂは、水道本管（図示せず）に接続される吸込み口を形成している。第２の連結管７５は、例えば第１の連結管７３の下方に配置されている。
【００５３】
図４と図５とに示すように、逆流防止回路８０は、吸込ヘッダー配管７１と第２の連結管７５との間に配設されている。
【００５４】
吸込ヘッダー配管７１と第２の連結管７５との相対位置関係上、逆流防止回路８０は、給水ポンプ６０と配管部７０との下方であってかつ前方に配置されている。それゆえ、吸込ヘッダー配管７１と逆流防止回路８０とは、中継管７６を介して互いに接続されている。上記の配置関係上、中継管７６は、前方斜め下方に向かって略Ｕ字状に形成されている。
【００５５】
逆流防止回路８０は、第１のボール弁８１と、逆流防止装置８２と、第２のボール弁８３と、を備えている。逆流防止回路８０は、第１のボール弁８１、逆流防止装置８２、第２のボール弁８３の順番で互いに接続されている。
【００５６】
第１のボール弁８１は、第２の連結管７５に接続されている。第２のボール弁８３は、中継管７６に接続されている。逆流防止装置８２には、ドレン配管８４が接続されている。
【００５７】
第２の筐体３１内には、電装部３３が収容される。電装部３３は、一例として、インバータ１０１と、ＤＣリアクトル１０３と、制御盤１０４と、などを備えている。制御盤１０４は、本発明で言う制御部である。インバータ１０１、ＤＣリアクトル１０３は、各給水ポンプ６０ごとに用意されている。電装部３３の構成は、上記に限定されない。
【００５８】
制御盤１０４は、通信ケーブル１０５によって、各給水ポンプ６０に接続されている。図６は、図４中の２点鎖線で囲まれるＦ６の範囲を拡大して示している。このため、図２と図４と図６とに示すように、第１の筐体２１の第１の上壁２１ａに、貫通孔１０６が形成されている。第２の筐体３１の第２の下壁３１ｂには、貫通孔１０６に対応して、貫通孔１０７が形成されている。通信ケーブル１０５は、貫通孔１０６,１０７を通る。貫通孔１０６，１０７内には、貫通孔１０６，１０７を通して第１，２の筐体２１，３１間で熱の移動が生じないように、シール部材が介装されている。本実施形態では、例えばシール部材として、例えばゴムブッシュ１０８が設けられている。
【００５９】
図１，２に示すように、第２の扉部材３２には、外側から制御盤１０４を確認できる窓１３０が形成されている。
【００６０】
このように構成されるパッケージ型給水ポンプ装置１０では、給水ポンプ６０は、第１の筐体２１内に収容される。制御盤１０４は、第２の筐体３１内に収容される。給水ポンプ６０の電動モータ６１と、制御盤１０４とは、発熱量が大きい。
【００６１】
このように、ポンプ装置を構成する構成要素のうち、発熱量が大きい給水ポンプ６０と制御盤１０４とを別々の筐体に収容することによって、各筐体２１，３１内の温度上昇が抑制される。
【００６２】
具体的に説明すると、給水ポンプ６０と制御盤１０４とが、1つの筐体内に一緒に収容された場合、この筐体内の温度は、給水ポンプ６０の発熱と制御盤１０４の発熱とによって、上昇する。
【００６３】
しかし、上記のように、給水ポンプ６０が第１の筐体２１内に収容され、制御盤１０４が第２の筐体３１内に収容されることによって、第１の筐体２１内の温度は、給水ポンプ６０の発熱によって上昇し、第２の筐体３１内の温度は、制御盤１０４の発熱によって上昇するようになる。
【００６４】
つまり、第１の筐体２１内の温度は、制御盤１０４の影響を受けず、第２の筐体３１内の温度は、給水ポンプ６０の影響を受けないので、第１，２の筐体２１，３１内の温度上昇は、抑制される。それゆえ、給水ポンプ６０によって上昇した温度と、制御盤１０４によって上昇した温度とは、互いに影響しないようになる。
【００６５】
特に、制御盤１０４は、温度上昇することによって、効率的な動作が失われることが考えられるので、温度が上昇することは好ましくない。制御盤１０４の温度は、制御盤１０４の周囲の温度、つまり第２の筐体３１内温度の影響を受ける。
【００６６】
それゆえ、上記のように、制御盤１０４の周囲温度が、給水ポンプ６０の発熱の影響を受けないことによって、制御盤１０４の効率的な動作が失われなくなる。
【００６７】
また、給水ポンプ６０と制御盤１０４とを電気的に接続する通信ケーブル１０５を、ゴムブッシュ１０８などのシール部材付きの貫通孔１０６，１０７を通すことによって、貫通孔１０６，１０７を通して第１，２の筐体２１，３１間で空気の移動が生じることが抑制される。
【００６８】
それゆえ、貫通孔１０６，１０７を介する第１，２の筐体２１，３１間での温度の移動が防止される。
【００６９】
なお、本実施形態では、通信ケーブル１０５が通る貫通孔１０６，１０７にゴムブッシュ１０８が介装されているが、これに限定されない。例えば、通信ケーブル１０５のようなケーブルが、第１，２の筐体２１，３１の壁を貫通する場合、この貫通孔にゴムブッシュ１０８などのシール部材が介装されてもよい。
【００７０】
また、給水ポンプ６０を含むポンプ部２２が、第１の筐体２１内に収容されていることによって、これら騒音を吸収する吸音体２６は、第１の筐体２１に集中して設けられるようになる。
【００７１】
それゆえ、吸音体２６を設ける範囲を抑えながら、効果的に騒音を抑えることができる。
【００７２】
また、電装部３３とポンプ部２２とが別々の筐体に収容されることによって、万が一第１の筐体２１内で漏水が発生した場合であっても、電装部３３に水がかかることが防止される。
【００７３】
また、配管部７０内や逆流防止回路８０内の水の温度と、筐体内の温度には、差が生じることが考えられる。このため、夏や冬場など上記温度差が大きくなる場合には、筐体内に結露が生じやすくなる。
【００７４】
しかし、ポンプ部２２と電装部３３とが別々の筐体に収容されることによって、電装部３３は、結露の影響を受けなくなる。
【００７５】
また、第１，２の搬入口２４，３４を塞ぐために、第１，２の扉部材２３，３２が用いられる。それゆえ、第１，２の扉部材２３，３３は、対応する第１，２の搬入口２４，３４だけを塞ぐ大きさを有していればよいので、重量の増加が抑制される。
【００７６】
さらに、第１，２の扉部材２３，３２が用いられることによって、ポンプ部２２と電装部３３とをメンテナンスする際に、必要な方だけを開くことができるようになる。
【００７７】
具体的に説明すると、例えばポンプ部２２をメンテナンスする場合は、第１の扉部材２３だけを開けばよい。同様に、電装部３３をメンテナンスする場合は、第２の扉部材３２だけを開けばよい。このように、必要な扉部材だけを開くことによって、メンテナンス性が向上する。
【００７８】
また、ポンプ部２２は、給水ポンプ６０と配管部７０とを備えるので、電装部３３よりも大きくなる。したがって、第１の筐体２１は、第２の筐体３１よりも大きくなる。
【００７９】
それゆえ、特に第１の筐体２１に吸排口を形成しなくても、第１の筐体２１内の空間が大きくなることによって、第１の筐体２１内の温度は、上昇しにくくなる。
【００８０】
また、パッケージ型給水ポンプ装置１０が、ポンプユニット２０と、制御ユニット３０との２つに分かれることによって、第１の筐体２１は、ポンプ部２２を収容する大きさを有していればよい。第２の筐体３１は、電装部３３を収容する大きさを有していればよい。
【００８１】
したがって、第１の筐体２１の高さは、ポンプ部２２と電装部３３とが１つの筐体に収容される場合に用いられる筐体の高さよりも低くすることができる。同様に、第２の筐体３１の高さは、ポンプ部２２と電装部３３とが１つの筐体に収容される場合に用いられる筐体の高さよりもひくくすることができる。
【００８２】
それゆえ、ポンプユニット２０の第１の筐体２１に求められる剛性は、パッケージ型給水ポンプ装置１０を１つの筐体で構成する場合の筐体の剛性よりも小さくなる。
【００８３】
したがって、第１の上壁２１ａと第１の下壁２１ｂと第１の左壁２１ｃと第１の右壁２１ｄと第１の前壁２１ｅと第１の後壁２１ｆを、パッケージ型給水ポンプ装置１０を１つの筐体で構成する場合の筐体の壁部よりも薄くすることができる。
【００８４】
制御ユニット３０の第２の筐体３１であっても同様である。
【００８５】
上記のことによって、パッケージ型給水ポンプ装置１０が、ポンプユニット２０と制御ユニット３０とを備える場合では、第１の筐体２１と第２の筐体３１とを構成する壁部を薄くすることができるので、パッケージ型給水ポンプ装置１０のコストは、削減される。
【００８６】
つぎに、本発明の第２の発明に係るパッケージ型給水ポンプ装置１０を、図７と図８とを参照して説明する。なお、第１の実施形態と同様な機能を有する構成は、同一の符号を付して説明を省略する。
【００８７】
本実施形態では、第１の搬入口２４と第２の搬入口３４とは、1つの扉部材１１０によって塞がれる。他の構造は、第１の実施形態と同様であってよい。
【００８８】
この点について、具体的に説明する。
【００８９】
図７は、本実施形態のパッケージ型給水ポンプ装置１０の正面図である。図８は、扉部材１１０が取り外された状態を側方から見た側面図である。
【００９０】
図７と図８とに示すように、扉部材１１０は、第１の筐体２１に第２の筐体３１が固定された状態において、第１，２の搬入口２４，３４を塞ぐ大きさを有している。
【００９１】
また、各パッキン２５，３５は、扉部材１１０が第１，２の搬入口２４，３４を塞いでいる状態のときに、第１，２の搬入口２４，３４を通して第１，２の筐体２１，３１内の温度が移動することを防止する対策が考慮されている。
【００９２】
本実施形態では、第１の実施形態の効果に加えて、第１，２の扉部材２３，３２に換えて扉部材１１０が用いられることによって、部品点数が少なくなるので、コストが抑えられる。
【００９３】
つぎに、本発明の第３の実施形態に係るパッケージ型給水ポンプ装置１０について、図９を参照して説明する。なお、第１の実施形態と同様な機能を有する構成は、同一の符号を付して説明を省略する。
【００９４】
本実施形態では、第１の筐体２１と、第１の筐体２１と第２の筐体３１との固定構造５０とは、第１の実施形態と異なる。他の構造は、第１の実施形態と同様であってよい。
【００９５】
この点について、具体的に説明する。
【００９６】
図９は、本実施形態の第１，２の筐体２１，３１とが分解された状態を示している。なお、図８中では、第１，２の扉部材２３，３２は、省略されている。また、ポンプ部２２と電装部３３とは、２点鎖線で概略が示されている。
【００９７】
図９に示すように、本実施形態の第１の筐体２１では、第１の上壁２１ａには、開口１２０が形成されている。開口１２０は、例えば第１の上壁２１ａの周縁部１２１を残して略全域に形成されている。開口１２０は、第１の上壁２１ａを貫通している。
【００９８】
開口１２０の周縁部１２１の全域には、シール部材として例えば防塵ゴム１２２が設けられている。第１の実施形態で示したように、第１の筐体２１の第１の上壁２１ａと、第２の筐体３１の第２の下壁３１ｂとは、略同じ形状である。それゆえ、第１の筐体２１に第２の筐体３１を固定すると、第１の上壁２１ａの開口１２０は、第２の下壁３１ｂによって塞がれる。そして、開口１２０は、防塵ゴム１２２によって、密閉される。
【００９９】
固定構造５０は、Ｌ字部材１２３と、ボルト５３と、ナット５４と、を備えている。Ｌ字部材１２３の一方の壁部１２３ａには、ボルト５３が通る貫通孔１２３ｂが形成されている。Ｌ字部材  １２３は第１の左右壁２１ｃ，２１ｄに設けられている。第１の左右壁２１ｃ，２１ｄに設けられるＬ字部材１２３は、貫通孔１２３ｂが形成された壁部１２３ａを上向きにして、第１の左右壁２１ｃ，２１ｄの外面の上部に配置されている。
【０１００】
また、Ｌ字部材１２３は、第２の左右壁３１ｃ，３１ｄの外面の下部に、２つずつ設けられている。第２の左右壁３１ｃ，３１ｄに設けられるＬ字部材１２３は、貫通孔１２３ｂが第１の左右壁２１ｃ，２１ｄに設けられたＬ字部材１２３の貫通孔１２３ｂに対向するように、壁部１２３ａが下に位置する姿勢で配置される。
【０１０１】
それゆえ、ポンプユニット２０の上に制御ユニット３０を置いた後、第２の左右壁３１ｃ，３１ｄに設けられたＬ字部材１２３と第１の左右壁２１ｃ，２１ｄに設けられたＬ字部材１２３とにボルト５３を通してナット５４で締め付けることによって、ポンプユニット２０と制御ユニット３０とは、互いに固定される。
【０１０２】
本実施形態では、第１の筐体２１の第１の上壁２１ａに開口１２０が形成されることによって、第１の筐体２１内にポンプ部２２配置する作業の効率が向上するとともに、作業の自由度が向上する。
【０１０３】
また、開口１２０の周縁部１２１に防塵ゴム１２２を設けることによって、開口１２０が密閉されるので、雨などが第１の筐体２１内に浸入することが抑制される。
【０１０４】
なお、本実施形態では、開口１２０は、第１の上壁２１ａに形成されたが、これに限定されない。例えば、第１の左壁２１ｃと第２の右壁３１ｄとが互いに密着する状態で、ポンプユニット２０と制御ユニット３０とが互いに連結される場合などでは、開口１２０は、第１の左壁２１ｃに形成されてもよい。
【０１０５】
要するに、開口１２０は、第１の筐体２１において第２の筐体３１に接触する接触部に形成されてもよい。このようにすることによって、開口１２０の周縁部１２１がシール部材例えば防塵ゴム１２２を介して第２の筐体３１と密着する。それゆえ、開口１２０は、密閉される。
【０１０６】
なお、第２の実施形態で示されたポンプユニット２０の第１の筐体２１に開口１２０が形成されてもよい。
【０１０７】
また、第１，２の実施形態では、第１，２の筐体２１，３１の固定構造５０は、いずれもボルト５３を用いていたが、これに限定されない。例えば、第１の筐体２１と第２の筐体３１とは、溶接によって互いに固定されてもよい。または、第１の筐体２１と第２の筐体３１とは、接着剤によって互いに固定されてもよい。ようするに、固定構造５０は、第１の筐体２１と第２の筐体３１とを互いに固定できればよい。
【図面の簡単な説明】
【０１０８】
【図１】本発明の第１の実施形態に係るパッケージ型給水ポンプ装置の正面図。
【図２】図１に示されたパッケージ型給水ポンプ装置が分解された状態を示す斜視図。
【図３】図１に示された第１の扉部材と第２の扉部材とが取り外されたパッケージ型給水ポンプ装置の側面図。
【図４】図１に示された第１，２の扉部材が取り外されたパッケージ型給水ポンプ装置の正面図。
【図５】図２に示された第１の左壁が省略されたパッケージ型給水ポンプ装置を左側から見た一部断面図。
【図６】図４に２点鎖線で示されたＦ６の範囲の拡大図。
【図７】本発明の第２の実施形態に係るパッケージ型給水ポンプ装置の正面図。
【図８】図７に示された扉部材が取り外されたパッケージ型給水ポンプ装置の側面図。
【図９】本発明の第３の実施形態に係るパッケージ型給水ポンプ装置の第１，２の筐体が分解された状態を示す斜視図。
【符号の説明】
【０１０９】
１０…パッケージ型給水ポンプ装置、２０…ポンプユニット、２１…第１の筐体、２３…第１の扉部材、２４…第1の搬入口、３０…制御ユニット、３１…第２の筐体、３２…第２の扉部材、３４…第２の搬入口、６０…給水ポンプ（ポンプ）、１０４…制御盤（制御部）、１１０…扉部材、１２０…開口。
【図１】
0004759331.tif 000002
【図２】
0004759331.tif 000003
【図３】
0004759331.tif 000004
【図４】
0004759331.tif 000005
【図５】
0004759331.tif 000006
【図６】
0004759331.tif 000007
【図７】
0004759331.tif 000008
【図８】
0004759331.tif 000009
【図９】
0004759331.tif 000010